(57)【要約】【課題】同一色または同一柄のロールペーパーが並ぶことを抑制して、包装パッケージ外観を多様にするロールペーパーの包装方法を提供する。【解決手段】ログロール１，２を裁断して複数のロールペーパーを製造する第１行程と、ログロール１から裁断された各ロールペーパーをＸ列に配置し、ログロール２から裁断された各ロールペーパーをＹ列に配置する第２行程と、Ｙ列のロールペーパー２１，２２をＺ列に移動する第３行程と、順次、Ｘ列先頭のロールペーパーとＹ列先頭のロールペーパーを交互に包装袋３へ収納する第４行程と、ロールペーパー２１から所定個後に並んでいたロールペーパー２４を、第４行程においてＹ列先頭から包装袋３へ収納したとき、これに続いてＸ列先頭のロールペーパーとＺ列先頭のロールペーパーを交互に包装袋３へ収納する第５行程とを有する。【選択図】図１
2018070254.tif 000002
【特許請求の範囲】
【請求項１】
複数の色または柄を各々所定位置に付した第１ログロールと、前記第１ログロールと同様に色または柄を付した第２ログロールと、を各々裁断して複数のロールペーパーを製造する第１行程と、
前記第１ログロールから裁断された各ロールペーパーを、包装袋へ該ロールペーパーを収納させる包装装置に設置された第１列に配置し、前記第２ログロールから裁断された各ロールペーパーを前記包装装置に設置された第２列に配置する第２行程と、
前記第２列先頭に配置された、前記第２ログロールの先端に相当する第１ロールペーパーと、前記第１ロールペーパーに後続配置された第２ロールペーパーと、を前記包装装置に設置された補助列に移動する第３行程と、
前記第１列の先頭に配置されている、前記第１ログロールの先端に相当する第３ロールペーパーを前記包装袋へ収納し、これに続いて前記第２列の先頭に配置されている第４ロールペーパーを前記包装袋へ収納し、
順次、前記第１列の先頭に配置されているロールペーパーと前記第２列の先頭に配置されているロールペーパーとを交互に前記包装袋へ収納する第４行程と、
前記第２ログロールを裁断したとき前記第１ロールペーパーから所定個後に並んでいた第５ロールペーパーを、前記第４行程において前記第２列の先頭から前記包装袋へ収納したとき、これに続いて前記第１列の先頭に配置されているロールペーパーと前記補助列の先頭に配置されているロールペーパーとを交互に前記包装袋へ収納する第５行程と、
を有することを特徴とするロールペーパーの包装方法。
【請求項２】
前記第１行程は、前記第１および第２ログロールを、色または柄のパターン別となるように裁断して、各々異なる色または柄のパターンを有するロールペーパーを製造し、
前記第５行程は、任意の色または柄のパターンを有する前記第５ロールペーパーを収納した後、順次、前記第１列の先頭に配置されているロールペーパーと前記補助列の先頭に配置されているロールペーパーとを交互に前記包装袋へ収納する、
ことを特徴とする請求項１に記載のロールペーパーの包装方法。
【請求項３】
前記第５行程において前記補助列に配置されているロールペーパーを全て前記包装袋へ収納したとき、前記第３行程から前記第５行程を繰り返す、
ことを特徴とする請求項１または２に記載のロールペーパーの包装方法。
【請求項４】
複数の色または柄を各々所定位置に付した第１ログロールと、前記第１ログロールと同様に色または柄を付した第２ログロールと、を各々裁断して複数のロールペーパーを製造する第１行程と、
前記第１ログロールから裁断された各ロールペーパーを、包装袋へ該ロールペーパーを収納させる包装装置に設置された第１列に配置し、前記第２ログロールから裁断された各ロールペーパーを前記包装装置に設置された第２列に配置する第２行程と、
前記第１列先頭に配置された、前記第１ログロールの先端に相当する第１ロールペーパーを、前記包装装置に設置された第１補助列に移動し、
前記第２列に配置された、前記第２ログロールの先端から２個目に相当する第２ロールペーパーおよび前記第２ロールペーパーに後続配置されている所定個数のロールペーパーを前記包装装置に設置された第２補助列に移動する第３行程と、
前記第２列の先頭に配置されている、前記第２ログロールの先端に相当する第３ロールペーパーを前記包装袋へ収納し、これに続いて前記第１列の先頭に配置されている第４ロールペーパーを前記包装袋へ収納し、
順次、前記第２列の先頭に配置されているロールペーパーと前記第１列の先頭に配置されているロールペーパーとを交互に前記包装袋へ収納する第４行程と、
前記第２ログロールを裁断したとき前記第３ロールペーパーから所定個後に並んでいた第５ロールペーパーを、前記第４行程において前記第２列の先頭から前記包装袋へ収納したとき、これに続いて前記第１列の先頭に配置されているロールペーパーと前記第２補助列の先頭に配置されているロールペーパーとを交互に前記包装袋へ収納し、前記第１ログロールを裁断したとき前記第１ロールペーパーから所定個後に並んでいた第６ロールペーパーを前記第１列の先頭から前記包装袋へ収納した後、前記第１補助列の先頭に配置されているロールペーパーを前記包装袋へ収納する第５行程と、
を有することを特徴とするロールペーパーの包装方法。
【請求項５】
前記第１行程は、前記第１および第２ログロールを、色または柄のパターン別となるように裁断して、各々異なる色または柄のパターンを有するロールペーパーを製造し、
前記第５行程は、任意の色または柄のパターンを有する前記第５ロールペーパーを収納した後、順次、前記第１列の先頭に配置されているロールペーパーと前記第２補助列の先頭に配置されているロールペーパーとを交互に前記包装袋へ収納し、
任意の色または柄のパターンを有する前記第６ロールペーパーを収納した後、順次、前記第２列あるいは前記第２補助列の先頭に配置されているロールペーパーと前記第１補助列の先頭に配置されているロールペーパーとを交互に前記包装袋へ収納する、
ことを特徴とする請求項４に記載のロールペーパーの包装方法。
【請求項６】
前記第５行程において前記第２補助列および前記第１補助列に配置されているロールペーパーを全て前記包装袋へ収納したとき、前記第３行程から前記第５行程を繰り返す、
ことを特徴とする請求項４または５に記載のロールペーパーの包装方法。
【発明の詳細な説明】
【技術分野】
【０００１】
本発明は、複数の色または柄等を有するロールペーパーを、所定個毎に包装するロールペーパーの包装方法に関するものである。
【背景技術】
【０００２】
ロールペーパーを製造するときには、原反ロールから広幅ペーパーを引き出してこれに各色の印刷インキ等を付着させ、乾燥させた後に巻上げてログロールを製造する。このログロールを所定位置で輪切りにし、細幅のロールペーパーを製造している（例えば、特許文献１参照）。
また、上記のように製造した各ロールペーパーは、一般的には包装袋に複数個詰めた形態で搬送、保管、取引販売等が行われている。上記のように細幅に裁断されたロールペーパーは、移送コンベアなどに順次載置されて、例えば透明な樹脂フィルムを用いて形成した包装袋に偶数個（例えば４〜１６個）毎に袋詰めされ、製造工場等から出荷されている。
上記のように複数個のロールペーパーを袋詰めするときには、例えば裁断後のロールペーパーを、コンベア等で移送しながら複数段に重積し、包装袋に所定個数のロールペーパーを袋詰めし、当該包装袋を閉封している（例えば、特許文献２参照）。
【先行技術文献】
【特許文献】
【０００３】
【特許文献１】登録実用新案第３０３８１３号公報
【特許文献２】特開２００５−１２６１１号公報
【発明の概要】
【発明が解決しようとする課題】
【０００４】
様々に着色または柄を描いたロールペーパーは前述のように製造されているので、順次製造される各ログロールは同一位置に同様な色または柄が付されている。
そのため、上記のようにログロールを所定位置で裁断して、複数個のロールペーパーを製造した場合には、ロールペーパーを袋詰めすると、同一色または同一柄のロールペーパーが並んで収納される場合が生じる。このように同じ色柄のロールペーパーが隣り合わせとなって包装されると、透明な包装袋を使用した場合には包装パッケージの外観が単調になり、購買欲を高めることが難しいものとなる。
また、使用者が包装袋から順にロールペーパーを取り出す際にも、同じ色柄のロールペーパーが連続することになり、使用者の期待感を損ねてしまうという問題点があった。
【０００５】
この発明は上記のような課題に鑑みなされたもので、同一色または同一柄のロールペーパーが並ぶことを抑制して、包装パッケージ外観を多様にするロールペーパーの包装方法を提供することを目的とする。
【課題を解決するための手段】
【０００６】
本発明に係るロールペーパーの包装方法は、複数の色または柄を各々所定位置に付した第１ログロールと、前記第１ログロールと同様に色または柄を付した第２ログロールと、を各々裁断して複数のロールペーパーを製造する第１行程と、前記第１ログロールから裁断された各ロールペーパーを、包装袋へ該ロールペーパーを収納させる包装装置に設置された第１列に配置し、前記第２ログロールから裁断された各ロールペーパーを前記包装装置に設置された第２列に配置する第２行程と、前記第２列先頭に配置された、前記第２ログロールの先端に相当する第１ロールペーパーと、前記第１ロールペーパーに後続配置された第２ロールペーパーと、を前記包装装置に設置された補助列に移動する第３行程と、前記第１列の先頭に配置されている、前記第１ログロールの先端に相当する第３ロールペーパーを前記包装袋へ収納し、これに続いて前記第２列の先頭に配置されている第４ロールペーパーを前記包装袋へ収納し、順次、前記第１列の先頭に配置されているロールペーパーと前記第２列の先頭に配置されているロールペーパーとを交互に前記包装袋へ収納する第４行程と、前記第２ログロールを裁断したとき前記第１ロールペーパーから所定個後に並んでいた第５ロールペーパーを、前記第４行程において前記第２列の先頭から前記包装袋へ収納したとき、これに続いて前記第１列の先頭に配置されているロールペーパーと前記補助列の先頭に配置されているロールペーパーとを交互に前記包装袋へ収納する第５行程とを有することを特徴とする。
【０００７】
また、前記第１行程は、前記第１および第２ログロールを、色または柄のパターン別となるように裁断して、各々異なる色または柄のパターンを有するロールペーパーを製造し、前記第５行程は、任意の色または柄のパターンを有する前記第５ロールペーパーを収納した後、順次、前記第１列の先頭に配置されているロールペーパーと前記補助列の先頭に配置されているロールペーパーとを交互に前記包装袋へ収納することを特徴とする。
【０００８】
また、前記第５行程において前記補助列に配置されているロールペーパーを全て前記包装袋へ収納したとき、前記第３行程から前記第５行程を繰り返すことを特徴とする。
【０００９】
また、本発明に係るロールペーパーの包装方法は、複数の色または柄を各々所定位置に付した第１ログロールと、前記第１ログロールと同様に色または柄を付した第２ログロールと、を各々裁断して複数のロールペーパーを製造する第１行程と、前記第１ログロールから裁断された各ロールペーパーを、包装袋へ該ロールペーパーを収納させる包装装置に設置された第１列に配置し、前記第２ログロールから裁断された各ロールペーパーを前記包装装置に設置された第２列に配置する第２行程と、前記第１列先頭に配置された、前記第１ログロールの先端に相当する第１ロールペーパーを、前記包装装置に設置された第１補助列に移動し、前記第２列に配置された、前記第２ログロールの先端から２個目に相当する第２ロールペーパーおよび前記第２ロールペーパーに後続配置されている所定個数のロールペーパーを前記包装装置に設置された第２補助列に移動する第３行程と、前記第２列の先頭に配置されている、前記第２ログロールの先端に相当する第３ロールペーパーを前記包装袋へ収納し、これに続いて前記第１列の先頭に配置されている第４ロールペーパーを前記包装袋へ収納し、順次、前記第２列の先頭に配置されているロールペーパーと前記第１列の先頭に配置されているロールペーパーとを交互に前記包装袋へ収納する第４行程と、前記第２ログロールを裁断したとき前記第３ロールペーパーから所定個後に並んでいた第５ロールペーパーを、前記第４行程において前記第２列の先頭から前記包装袋へ収納したとき、これに続いて前記第１列の先頭に配置されているロールペーパーと前記第２補助列の先頭に配置されているロールペーパーとを交互に前記包装袋へ収納し、前記第１ログロールを裁断したとき前記第１ロールペーパーから所定個後に並んでいた第６ロールペーパーを前記第１列の先頭から前記包装袋へ収納した後、前記第１補助列の先頭に配置されているロールペーパーを前記包装袋へ収納する第５行程とを有することを特徴とする。
【００１０】
また、前記第１行程は、前記第１および第２ログロールを、色または柄のパターン別となるように裁断して、各々異なる色または柄のパターンを有するロールペーパーを製造し、前記第５行程は、任意の色または柄のパターンを有する前記第５ロールペーパーを収納した後、順次、前記第１列の先頭に配置されているロールペーパーと前記第２補助列の先頭に配置されているロールペーパーとを交互に前記包装袋へ収納し、任意の色または柄のパターンを有する前記第６ロールペーパーを収納した後、順次、前記第２列あるいは前記第２補助列の先頭に配置されているロールペーパーと前記第１補助列の先頭に配置されているロールペーパーとを交互に前記包装袋へ収納することを特徴とする。
【００１１】
また、前記第５行程において前記第２補助列および前記第１補助列に配置されているロールペーパーを全て前記包装袋へ収納したとき、前記第３行程から前記第５行程を繰り返すことを特徴とする。
【発明の効果】
【００１２】
本発明によれば、様々な色または柄のロールペーパーを包装するとき、同じ色柄のものが並ぶことを抑制して包装袋に詰めることができ、包装パッケージの彩りを豊かにすることができる。
【図面の簡単な説明】
【００１３】
【図１】本発明の実施例１によるロールペーパーの包装方法を示す説明図である。
【図２】各ロールペーパーを包装した包装パッケージを示す説明図である。
【図３】本発明の実施例２によるロールペーパーの包装方法を示す説明図である。
【発明を実施するための形態】
【００１４】
以下、この発明の実施の一形態を説明する。
（実施例１）
図１は、本発明の実施例１によるロールペーパーの包装方法を示す説明図である。図１（ａ）は、各ロールペーパーに裁断する前のログロール１，２の斜視図であり、図１（ｂ）は、実施例１の包装装置等に設けられたロールペーパーの載置列部分を示す概略図である。
【００１５】
図１（ａ）のログロール１は、図示されないログロール製造装置において、例えば色Ａ、色Ｂ、色Ｃ、色Ｄの各色染料等を原反ロールから引き出した広幅ペーパーに付着させ、各色あるいは各模様などを付けたものである。同図に示したログロール２は、ログロール１と同様に製造されたもので、同様に着色、または同様な柄、模様などを付けたものである。
ログロール１は、図示されない製造装置等において所定位置で裁断されて、例えば、ロールペーパー１１〜１８に分割され、また、ログロール２についても、ログロール１と同様に裁断されて、ロールペーパー２１〜２８に分割される。
なお、ここで例示したログロール１，２は、４色あるいは４パターンの柄が付されており、一本のログロールから色（柄パターン）毎に８個のロールペーパーを製造するものであるが、本発明の包装方法においては、色（柄パターン）数、ならびに一本のログロールから製造されるロールペーパーの個数は、上記のものに限定されない。
【００１６】
図１（ｂ）は、前述の包装装置に備えられた、包装前のロールペーパーを列状に並べて載置する部分を簡略表示したもので、図中最上段に第１列となるＸ列、その下段に第２列となるＹ列、その下段に補助列となるＺ列を示している。なお、上記の包装装置は、各列の図中右端側に配置されているロールペーパーを包装袋３へ収納するように構成されている。ここでは図中右端側を各列の先頭として説明する。
【００１７】
次に動作について説明する。
前述の製造装置等により、原反ロールから引き出された広幅ペーパーに着色等が行われ、各ログロール１，２が製造され、さらに各ログロール１，２は、前述のように（裁断を行う製造装置等によって）複数個所で裁断され、例えば、４種類（Ａ〜Ｄ）のパターン（色または柄）別に裁断されたロールペーパー１１〜１８ならびにロールペーパー２１〜２８が製造される。
この後、前述の包装装置のＸ列にログロール１を裁断して製造されたロールペーパー１１〜１８が載置され、Ｙ列にログロール２を裁断して製造されたロールペーパー２１〜２８が載置される。
即ち、包装袋３への収納開始前には、Ｘ列の先頭に、ログロール１の先端部分を裁断して製造されたロールペーパー１１が配置され、Ｙ列の先頭に、ログロール２の先端部分を裁断して製造されたロールペーパー２１が配置される。
ここで、Ｙ列の先頭に配置されているロールペーパー２１と、これに後続配置されているロールペーパー２２とをＺ列へ移動させる。
【００１８】
図２は、各ロールペーパーを包装した包装パッケージを示す説明図である。図２（ａ）は、透明な樹脂シート等を用いて形成した包装袋３に、８個のロールペーパーを収納した包装パッケージの斜視図であり、図２（ｂ）は、包装袋３内部の各ロールペーパーの収納位置を上方から視た説明図である。ここでは、４個のロールペーパーを２段重ねとして、計８個のロールペーパーを収納する包装パッケージを例示して説明する。
前述のように、Ｙ列の先頭に配置されているロールペーパー２１と、これに後続配置されているロールペーパー２２とをＺ列へ移動した後、このときＸ列の先頭に配置されているロールペーパー１１を包装袋３へ収納する。これに続いてＹ列の先頭に配置されているロールペーパー２３を包装袋３へ収納する。
【００１９】
この後、Ｘ列の先頭に配置されているロールペーパー１２を収納し、次に、Ｙ列の先頭に配置されているロールペーパー２４を収納して、順次、Ｘ列先頭のロールペーパーとＹ列先頭のロールペーパーとを交互に包装袋３へ収納する。
上記のロールペーパー１１は、例えば、図２（ｂ）に示した収納位置１０１へ収納し、ロールペーパー２３は収納位置１０２へ収納する。また、ロールペーパー１２を収納位置１０３へ収納し、ロールペーパー２４を収納位置１０４へ収納し、上記のように収納位置１０１から収納位置１０４へ、順に各ロールペーパーを収納配置し、またさらに、すでに上記各位置に収納されたロールペーパーに同様な順で積み上げ収納する。
なお、包装袋３に８個のロールペーパーが収納されると、前述の包装装置等によって当該包装袋３に封閉処理等が行われ、次の（未収納もしくは新品の）包装袋３に対して各ロールペーパーの収納が続けて行われる。
【００２０】
Ｙ列先頭からロールペーパー２４を包装袋３へ収納した後、当該Ｙ列の先頭には、色Ａに着色された（または柄Ａを有する）ロールペーパー２５が配置される。
ここで、例えば、最初にＹ列の先頭に配置されていたロールペーパー２１と同じ色Ａのもの（ロールペーパー２５）が、当該Ｙ列の先頭になったとき、Ｙ列に替えてＺ列先頭に配置されているロールペーパーを、前述のようにＸ列先頭に配置されているロールペーパーと交互に包装袋３へ収納する。
【００２１】
具体的には、Ｙ列先頭のロールペーパー２４を包装袋３へ収納した後、Ｘ列先頭のロールペーパー１３を収納し、これに続いてＺ列先頭のロールペーパー２１、Ｘ列先頭のロールペーパー１４、さらにＺ列先頭のロールペーパー２２を順に収納する。
換言すると、ログロール２を裁断したときロールペーパー２１から所定個（３個）後に並んでいたロールペーパー２４を、Ｙ列先頭から包装袋３へ収納したとき、これに続けてＸ列先頭のロールペーパー１３、Ｚ列先頭のロールペーパー２１、Ｘ列先頭のロールペーパー１４を順に包装袋３へ収納して、当該Ｘ列先頭とＺ列先頭とを交互に収納する。
【００２２】
Ｚ列に配置されていたロールペーパーを全て包装袋３へ収納し、また、Ｘ列に配置されているロールペーパーについて、４種類のパターンを一通り収納した後には、例えば、このときＹ列先頭に配置されているロールペーパー２５と、これの次に配置されているロールペーパー２６とをＺ列に移動する。この後前述の説明と同様に、順次、Ｘ列先頭とＹ列先頭に配置されている各ロールペーパーを交互に包装袋３へ収納し、また、Ｚ列先頭のロールペーパーを収納する。
なお、Ｙ列に配置されていた全てのロールペーパーを、順次、包装袋３へ収納した後、即ち、Ｙ列のロールペーパーが全て無くなった後、Ｘ列に残っているロールペーパーと、Ｚ列に配置されているロールペーパー２１，２２とを交互に包装袋３へ収納するようにしてもよい。
【００２３】
このように各列先頭のロールペーパーを、順に包装袋３の収納位置１０１〜１０４へ収納すると、図２（ａ）に示したように各ロールペーパーが配置収納され、同色または同じ柄のものが横隣り、あるいは上下に並ぶことを抑える、もしくは回避することができる。
【００２４】
（実施例２）
図３は、本発明の実施例２によるロールペーパーの包装方法を示す説明図である。この図は、実施例２の包装装置等に備えられたロールペーパーの載置列部分を示す概略図であり、図中最上段に第１補助列となるＺ１列、その下段に第１列となるＸ列、その下段に第２列となるＹ列、その下段に第２補助列となるＺ２列を示している。
上記のＸ列には、図１（ａ）に示したログロール１を裁断したロールペーパー１１〜１８が載置され、Ｙ列にはログロール２を裁断したロールペーパー２１〜２８が載置されている。なお、実施例２の包装装置においても、各列の図中右端側に配置されているロールペーパーを包装袋３へ収納するように構成されており、ここでは、図中右端側を各列の先頭として説明する。
【００２５】
次に動作について説明する。
実施例１で説明したように、製造装置等によって着色または柄を付したログロール１，２が製造される。さらに、各ログロール１，２は、前述のように色または柄などのパターン毎に裁断され、例えば、４種類（Ａ〜Ｄ）のパターン（色または柄）別に裁断されたロールペーパー１１〜１８ならびにロールペーパー２１〜２８が製造される。
この後、前述の包装装置のＸ列にログロール１を裁断して製造されたロールペーパー１１〜１８が載置され、Ｙ列にログロール２を裁断して製造されたロールペーパー２１〜２８が載置される。
即ち、包装袋３への収納開始前には、Ｘ列の先頭に、ログロール１の先端部分を裁断して製造されたロールペーパー１１が配置され、Ｙ列の先頭に、ログロール２の先端部分を裁断して製造されたロールペーパー２１が配置される。
ここで、Ｘ列の先頭に配置されているロールペーパー１１をＺ１列へ移動し、また、Ｙ列の先頭から２個目に配置されているロールペーパー２２と、これに後続配置されているロールペーパー２３をＺ２列へ移動する。
【００２６】
ここでは、実施例１と同様に４個のロールペーパーを２段重ねとして、計８個のロールペーパーを収納する包装パッケージを例示して説明する。
前述のように、Ｘ列のロールペーパー１１をＺ１列へ移動し、Ｙ列のロールペーパー２２，２３をＺ２列へ移動した後、このときＹ列の先頭配置されているロールペーパー２１を包装袋３へ収納する。これに続いてＸ列の先頭に配置されているロールペーパー１２を包装袋３へ収納する。
この後、Ｙ列先頭に配置されているロールペーパー２４を収納し、次にＸ列先頭に配置されているロールペーパー１３を収納して、順次、Ｙ列先頭のロールペーパーとＸ列先頭のロールペーパーとを交互に包装袋３へ収納する。
【００２７】
上記のロールペーパー２１は、例えば、図２（ｂ）に示した収納位置１０１へ収納し、ロールペーパー１２は収納位置１０２へ収納する。また、ロールペーパー２４を収納位置１０３へ収納し、ロールペーパー１３を収納位置１０４へ収納し、上記のように収納位置１０１から収納位置１０４へ順に各ロールペーパーを配置し、適宜、上段に積み上げて収納する。
なお、８個のロールペーパーを収納した包装袋３には封閉処理等が行われ、次の（未収納もしくは新品の）包装袋３に対して各ロールペーパーの収納が続けて行われる。
【００２８】
Ｙ列先頭からロールペーパー２４を包装袋３へ収納した後、当該Ｙ列の先頭には、色Ａに着色された（または柄Ａを有する）ロールペーパー２５が配置される。
ここで、例えば、最初にＹ列の先頭に配置されていたロールペーパー２１と同じ色Ａのもの（ロールペーパー２５）が、当該Ｙ列の先頭になったとき、Ｙ列に替えてＺ２列先頭に配置されているロールペーパーを、順次、Ｘ列先頭に配置されているロールペーパーと交互に包装袋３へ収納する。
また、Ｘ列先頭のロールペーパー１４を包装袋３へ収納した後、当該Ｘ列の先頭には、色Ａに着色された（または柄Ａを有する）ロールペーパー１５が配置される。
上記Ｙ列の場合と同様に、例えば、最初にＸ列の先頭に配置されていたロールペーパー１１と同じ色Ａのもの（ロールペーパー１５）が、当該Ｘ列の先頭になったとき、Ｘ列に替えてＺ１列先頭に配置されているロールペーパーを、Ｙ列先頭、あるいはＺ２列先頭に配置されているロールペーパーと交互に包装袋３へ収納する。
【００２９】
具体的には、Ｙ列先頭のロールペーパー２４を包装袋３へ収納した後、Ｘ列先頭のロールペーパー１３を収納し、これに続いてＺ２列先頭のロールペーパー２２、Ｘ列先頭のロールペーパー１４、Ｚ２列先頭のロールペーパー２３を順に収納する。さらに、これに続けてＺ１列先頭のロールペーパー１１を包装袋３へ収納する。
換言すると、ログロール２を裁断したときロールペーパー２１から所定個（３個）後に並んでいたロールペーパー２４を、Ｙ列先頭から包装袋３へ収納したとき、これに続けてＸ列先頭のロールペーパー１３、Ｚ２列先頭のロールペーパー２２を順に包装袋３へ収納する。
また、ログロール１を裁断したときロールペーパー１１から所定個（３個）後に並んでいたロールペーパー１４を、Ｘ列先頭から包装袋３へ収納したとき、これに続けてＺ２列先頭のロールペーパー２３、Ｚ１列先頭のロールペーパー２１を順に包装袋３へ収納する。
【００３０】
Ｚ２列ならびにＺ１列に配置されていたロールペーパーを全て包装袋３へ収納した後、換言すると、Ｘ列ならびにＹ列に各々配置されているロールペーパーについて、４種類の色あるいは模様パターンを一通り収納した後には、例えば、このときＹ列先頭から２個目に配置されているロールペーパー２６と、これの次に後続配置されているロールペーパー２７とをＺ２列に移動し、また、Ｘ列先頭に配置されているロールペーパー１５をＺ１列へ移動する。この後、前述の説明と同様に、順次、Ｙ列先頭とＸ列先頭に配置されている各ロールペーパーを交互に包装袋３へ収納し、また、Ｚ２列先頭のロールペーパーを、また、Ｚ１列先頭のロールペーパーを収納する。
【００３１】
この実施例２では、４種類（４色あるいは４つの模様パターン）のロールペーパーを包装する場合について説明したが、３種類のロールペーパーを包装する場合には、Ｙ列からＺ２列へ移動するロールペーパーを１個（先頭から２個目のもの）のみとし、以下、同様の順で包装袋３へ収納するとよい。
また、６種類のロールペーパーを包装する場合には、Ｙ列からＺ２列へ移動するロールペーパーを３個（先頭から２〜４個目のもの）とし、以下、同様の順で包装袋３へ収納するとよい。
なお、これらの場合においてもＸ列からＺ１列へ移動するロールペーパーは、当該Ｘ列の先頭に配置された１個のみとする。
【００３２】
以上のように実施例１および実施例２によれば、同一に着色した（または同じ柄を付した）２本のログロール１，２から各々裁断されたロールペーパー１１〜１８，２１〜２８を交互に包装袋３へ収納するとき、簡素な収納順の調整を行うことにより、包装袋３の内部で同じ色柄等のロールペーパーが隣り合うことを抑制する、もしくは防ぐことができる。
また、同じ色柄等のロールペーパーが並ぶことを抑えることから、包装パッケージ外観の彩りが多様になり、商品価値を高めることができる。
【００３３】
なお、前述の実施例１および実施例２において用いた包装袋３は、４個のロールペーパーを平面上（底面）に並べ、これらに他の４個のロールペーパーを積み上げて包装するものであるが、さらに３段目あるいは４段目のロールペーパーを積み上げ、１２個あるいは１６個入りの包装パッケージを製造する際にも、本発明による包装方法を用いてもよい。
またさらに、平面上（底面）に２個のロールペーパーを並べ、これらに２段目あるいは３段目を積み上げて包装する４個あるいは６個入り包装パッケージを製造する際においても、本発明を用いることが可能である。
【符号の説明】
【００３４】
１，２ログロール
３包装袋
１１〜１８ロールペーパー
２１〜２８ロールペーパー
１０１〜１０４収納位置
【図１】
2018070254.tif 000003
【図２】
2018070254.tif 000004
【図３】
2018070254.tif 000005